(57)【要約】  本発明は、使用者の身体から突出する人工装具ピンにプロステーシスを取り付けるためのアダプタに関する。アダプタは、人工装具ピンに結合された雄型部分と、プロステーシス及び雄型部分に結合された雌型部分と、雌型部分に対する雄型部分の相対的な回転をロックするためのロックリングとを備える。本発明によれば、雌型部分は、雌型部分に配置されるとともに、軸方向に圧縮されたときに、雌型部分に対する雄型部分の相対的な回転をロックするために径方向に膨張するように構成された少なくとも部分的に弾力性を有するブッシュをさらに備える。
2021514728.tif 000002
【特許請求の範囲】
【請求項１】
プロステーシスを取り付けるためのアダプタであって
使用者の身体から突出する人工装具ピンに結合するように構成された雄型部分と、
細長いキャビティを備えるとともに、前記プロステーシス及び前記雄型部分に結合されるように構成された雌型部分と、
前記雌型部分に対する前記雄型部分の相対的な回転をロックするためのロックリングと
を備え、
前記雌型部分は、前記キャビティ内に配置されるとともに、軸方向に圧縮されたときに径方向に膨張するように構成された少なくとも部分的に弾力性を有するブッシュをさらに備え、
前記雄型部分は、前記ブッシュ内に又は前記ブッシュを通して配置され、
前記ロックリングは、前記ブッシュが前記径方向に膨張し、それによって前記雄型部分の前記雌型部分に対する相対的な回転をロックするように、前記ブッシュを前記軸方向に圧縮するように構成されている、
ことを特徴とするアダプタ。
【請求項２】
前記ロックリングが、前記雌型部分に結合され、
前記ロックリングが、前記軸方向に係る力を前記ブッシュに及ぼさないか又は比較的低い力を前記ブッシュに及ぼす第１位置と、前記雄型部分の前記雌型部分に対する相対的な回転をロックするために前記ロックリングが前記ブッシュを前記軸方向に圧縮する第２の位置との間で移動可能である、
請求項１に記載のアダプタ。
【請求項３】
前記雌型部分への前記ロックリングの前記結合は、前記雌型部分に対する前記ロックリングの相対的な回転が、前記雌型部分に対する前記ロックリングの相対的な軸方向の変位を引き起こし、それによって前記ブッシュの圧縮を増加又は減少させるようなものである、
請求項２に記載のアダプタ。
【請求項４】
前記雌型部分の外壁は、１つまたは複数のガイドトラックを備え、
前記ロックリングは、前記ガイドトラックの１つにそれぞれガイドされる径方向内向きに延びる１つまたは複数のガイドエレメントを備え、
前記ロックリングは、前記ブッシュに軸方向に押し付けるための１つ又は複数のプッシュエレメントをさらに備える、
請求項３に記載のアダプタ。
【請求項５】
前記１つ又は複数のプッシュエレメントと前記弾力性を有するブッシュとの間に配置された弾力性を有する更なるエレメントをさらに備え、
前記弾力性を有する更なるエレメントは、前記雌型部分の前記軸方向において、前記径方向よりも低い弾性率、好ましくは低いヤング率を有し、
前記弾力性を有する更なるエレメントは、波ばね、マルチウェーブばね及び入れ子式波ばねの少なくとも１つを備える、
請求項４に記載のアダプタ。
【請求項６】
前記１つ又は複数のプッシュエレメントは、前記ロックリングの内壁によって形成されている、
請求項４又は請求項５に記載のアダプタ。
【請求項７】
前記１つ又は複数のガイドトラックは、前記雌型部分の外面に規定された螺旋状に延びる凹部をそれぞれ備える、
請求項４、請求項５又は請求項６に記載のアダプタ。
【請求項８】
前記第１位置及び／又は前記第２位置にある前記ロックリングの移動をロックするためのロックをさらに備える、
請求項２から請求項７までのいずれか１項に記載のアダプタ。
【請求項９】
前記ロックは、
凹部及び非凹部を有し、前記ロックリングに軸方向に取り付けられたロックピンと、
前記ロックピンをばね付勢し、前記ロックピンが軸方向に移動するように促すためのばねと、
開放部分を有する径方向に突出した端部を備えるとともに、前記雌型部分の外壁に配置されたロックトラックと
を備え、
前記第１位置と前記第２位置との間を前記ロックリングが移動するときに、前記凹部が前記ロックトラックと係合し、
前記ロックリングが前記第２位置に達するとき、前記ばねによって前記ロックピンが前記軸方向に移動し、その結果、前記凹部が前記ロックトラックと係合しなくなるとともに、前記非凹部が前記ロックトラックと当接し、それによって前記第２位置から前記第１位置への前記ロックリングの回転が防がれる、
請求項８に記載のアダプタ。 
【請求項１０】
前記ロックリング前記第２位置にあるとき、前記ロックピンが前記ロックリングの上面から突出しており、
前記ロックピンは、前記凹部を前記ロックトラックと位置合わせされた状態に戻し、前記ロックリングが前記第２位置から前記第１位置に移動することを可能にするために、前記軸方向に押されることができる、
請求項９に記載のアダプタ。
【請求項１１】
前記雌型部分の前記外壁は、径方向に突出したブロックエレメントを備え、
前記ロックリングが前記第２位置から前記第１位置に移動するとき、前記ブロックエレメントと係合する前記ロックピンによって、前記第１位置を越えた回転が防がれる、
請求項９又は請求項１０に記載のアダプタ。
【請求項１２】
前記ロックは、
前記ロックリングに水平方向に取り付けられた位置決めエレメントであって、位置決めピンと、外側に移動させるために前記位置決めピンをばね付勢するばねとを備える位置決めエレメント
を備え、
前記雌型部分は、前記第１位置及び前記第２位置にそれぞれ対応する第１凹部及び第２凹部を有する端部を備え、
前記位置決めピンは、突出端部を備え、
前記ロックリングが前記第１位置又は前記第２位置にあるとき、前記位置決めピンは、外側に移動して、前記第１凹部又は前記第２凹部とそれぞれ係合し、前記第１位置又は前記第２位置に前記ロックリングをそれぞれロックし、
前記ロックリングが前記第１位置と前記第２位置との間の中間位置にあるとき、前記突出端部が前記雌型部分の内壁と前記端部との間で案内される、
請求項７に記載のアダプタ。
【請求項１３】
前記雌型部分は、周方向ロック溝を備え、
前記ロックリングは、前記ロックリングを通して前記周方向溝内に突出するロックピンを備え、
前記周方向溝及び前記ロックピンは、前記ロックピンが前記ロック溝に係合している間に前記ロックリングが前記雌型部分から離脱することを防止するために、前記雌型部分に対する前記ロックリングの相対的な回転を制限するように構成されている、
請求項１２に記載のアダプタ。
【請求項１４】
前記キャビティは、前記ロックリングに面する前記雌型部分の外面上に出ている第１部分と、前記第１部分に軸方向に隣接する第２部分を備え、
前記第１部分は、前記第２の部分よりも広く、
前記第１部分の内壁から前記第２部分の内壁への移行部は、前記ブッシュを支持するための支持面を規定している、
請求項１から請求項１３までのいずれか１項に記載のアダプタ。
【請求項１５】
前記ブッシュは、リングアセンブリを備え、
前記リングアセンブリは、複数の第１及び第２リングを備え、
前記第１リングは、本質的に剛性を有する材料から作られ、
前記第２リングは、本質的に弾力性を有する材料から作られている、
請求項１から請求項１４までのいずれか１項に記載のアダプタ。
【請求項１６】
前記リングアセンブリは、前記第２リングとは異なるショア硬度を有する本質的に弾力性を有する材料から作られた複数の第３リングを備える、
請求項１５に記載のアダプタ。
【請求項１７】
前記雌型部分は、位置合わせピンを備え、
前記雄型部分は、位置合わせキャビティ又は凹部を有し、
前記位置合わせピンは、前記雌型部分に対する前記雄型部分の所定の角度方向に対して、前記凹部又はキャビティに係合するように構成されている、
請求項１から請求項１６までのいずれか１項に記載のアダプタ。
【請求項１８】
前記位置合わせピンは、前記キャビティの前記第２部分に径方向内方に移動するようにばね付勢されており、
前記位置合わせピンは、前記雌型部分に対する前記雄型部分の前記所定の角度方向に対して、前記凹部又は前記キャビティ内に移動するように構成されている、
請求項１７に記載のアダプタ。
【請求項１９】
前記雄型部分は、
前記人工装具ピンが配置され得るキャビティと、
径方向内方に延びるエッジ又はリムと、
取付ユニットと
を備え、
前記取付ユニットは、前記取付ユニットの外端が、前記人工装具ピンに対する前記雄型部分の第１方向への相対的な移動をロックするための前記延びるエッジ又はリムと係合するように、前記人工装具ピンの内側開口部に結合することができる、
請求項１から請求項１８までのいずれか１項に記載のアダプタ。
【請求項２０】
前記人工装具ピンは、前記第１方向とは反対の第２方向における前記雄型部分及び前記雌型部分のさらなる移動を防ぐように、前記雄型部分を前記人工装具ピンに形状フィットさせることができるように、前記雄型部分の内壁と一致する先細状の外形を有している、
請求項１９に記載のアダプタ。
【発明の詳細な説明】
【技術分野】
【０００１】
本発明は、使用者の身体から突出する人工装具ピンにプロステーシスを取り付けるためのアダプタに関する。本発明は、特に、軟組織を介在させることなく、インプラントと骨との間に直接界面が形成されるオッセオインテグレーションの医療分野に関する。 
【背景技術】
【０００２】
オッセオインテグレーションの分野では、ピン又は他のインプラントを患者の手足の骨に埋め込み、プロステーシスを接続する。ピンは通常、チタン等の金属でできており、骨の構造と一体化している。十分な統合及び固定の後、プロステーシスがピンに取り付けられ得る。
【０００３】
プロステーシスを人工装具ピンに取り付けるために使用されるアダプタは、当技術分野で知られている。このようなアダプタの例は、下記の特許文献１に記載されている。このアダプタは、雌型部分と雄型部分とを備え、雌型部分はプロステーシスに結合されるように構成され、雄型部分は人工装具ピンに結合されるように構成されている。
【０００４】
公知のアダプタは、雄型部分と雌型部分とを互いに相対的に解放可能かつ軸方向にロックするための軸方向ロック手段を備える。公知のアダプタは、雄型部分と雌型部分とを互いに相対的に回転ロックするための回転ロック手段をさらに備える。公知のアダプタにおいて、回転ロック手段は、雄型部分と雌型部分との間に外部から加えられるトルクが所定のレベルを超えたときに破断し、それによって雌型部分と雄型部分とが互いに相対的に回転することを可能にするように構成された破断装置を備える。
【０００５】
公知のアダプタは、過剰なトルクが加えられたときに回転ロック手段が外れることを確実にできるという利点を提供する一方で、アダプタは通常の使用中に十分な軸方向ロックを保証できる。
【先行技術文献】
【特許文献】
【０００６】
【特許文献１】蘭国特許発明第２０１０９９１号明細書
【発明の概要】
【発明が解決しようとする課題】
【０００７】
しかしながら、公知のアダプタの欠点は、この装置が過度のトルクで破損した場合、使用者がオッセオインテグレーションの専門家を訪ねて破断装置を交換しなければならないということである。その間、使用者はアダプタを使用できず、特に、不幸な出来事が営業時間中に発生しなかった場合や、オッセオインテグレーションの専門家の手が届かない場所で、使用者に不便を与えてしまうことになる。
【０００８】
本発明の目的は、この課題を解決するための手段を提供することにある。
【課題を解決するための手段】
【０００９】
本発明によれば、この目的は、請求項１に規定されたようなアダプタを使用して達成される。アダプタは、使用者の身体から突出する人工装具ピンに結合されるように構成された雄型部分と、細長いキャビティを備えるとともに、プロステーシス及び雄型部分に結合されるように構成された雌型部分とを備える。アダプタは、雌型部分に対する雄型部分の相対的な回転をロックするためのロックリングの形態のロックエレメントをさらに備える。
【００１０】
本発明によるアダプタは、雌型部分が、キャビティ内に配置されるとともに、軸方向に圧縮されたときに径方向に膨張するように構成された少なくとも部分的に弾力性を有するブッシュをさらに備える。雄型部分は、ブッシュ内に配置されてもよいし、ブッシュを通して配置されてもよい。さらに、ロックリングは、ブッシュが径方向に膨張し、それによって雌型部分に対する雄型部分の相対的な回転をロックするように、ブッシュを軸方向に圧縮するように構成されている。
【００１１】
回転ロックされると、弾力性を有するブッシュが内壁及び雄型部分に対して押し付けられる。その結果、雄型部分と雌型部分の間の回転は、弾力性を有するブッシュが雄型部分に及ぼす押し付け力に応じて増加する摩擦力を受ける。雄型部分と雌型部分との間のトルクが過大になると、摩擦力が打ち負かされて、雄型部分が雌型部分に対して相対的に回転する。例えば、雄型部分がブッシュに対して相対的に回転する間にブッシュはキャビティの内壁に対して相対的に静止したままであってもよいし、雄型部分がブッシュに対して相対的に静止したままでブッシュがキャビティの内壁に対して相対的に回転してもよいし、雄型部分がブッシュに対して相対的に回転する間にブッシュがキャビティの内壁に対して相対的に回転してもよい。全ての場合において、そして公知のアダプタに反して、回転中に破損する構成部品はなく、これにより、偶発的な事象の後に使用者が雄型部分及び雌型部分を再調整して活動を継続することを可能にする。さらなる有益な効果は、弾力性を有するブッシュによって、雄型部分と雌型部分との間の振動を減衰させることに関連する。
【００１２】
ロックリングは、雌型部分に結合されてもよい。また、ロックリングは、軸方向に係る力をブッシュに及ぼさないか又は比較的低い力をブッシュに及ぼす第１位置と、雄型部分の雌型部分に対する相対的な回転をロックするためにロックリングがブッシュを軸方向に圧縮する第２の位置との間で移動可能であってもよい。使用者は、ロックリングを第１位置に持ってきて、雄型部分と雌型部分との位置合わせを可能にし、ロックリングを第２位置に持ってきて、雌型部分に対する雄型部分の角度位置を固定するようにしてもよい。
【００１３】
ロックリングは、好ましくは、ブッシュに軸方向に押し付ける。例えば、雌型部分へのロックリングの結合は、雌型部分に対するロックリングの相対的な回転が、雌型部分に対するロックリングの相対的な軸方向の変位を引き起こし、それによってブッシュの圧縮を増加又は減少させるようなものであってもよい。例えば、ロックリングの回転は、雌型部分の外壁の周りに螺旋状の経路をたどってもよい。典型的には、第１位置と第２位置との間を移動するのに必要なロックリングの回転量は、雌型部分の軸方向軸線の周りの１回転未満である。
【００１４】
雌型部分の外壁は、１つ以上のガイドトラックを備えていてよい。さらに、ロックリングは、ガイドトラックの１つにそれぞれガイドされる径方向内向きに延びる１つ又は複数のガイドエレメントを備えていてよい。ロックリングは、ブッシュに軸方向に押し付けるための１つ又は複数のプッシュエレメントをさらに備えていてよい。代替的に、１つ又は複数のプッシュエレメントは、ロックリングの内壁によって形成されてもよい。１つ又は複数のガイドトラックは、雌型部分の外面に規定された螺旋状に延びる凹部をそれぞれ備えていてよい。従って、ロックリングが第１位置から第２位置に回転されるとき、ロックリングから離れて螺旋状に下方に延びるガイドトラックに従うガイドエレメントによって、ロックリングが軸方向にも移動される。同時に、プッシュエレメントは、ブッシュにますます押し付けられる。
【００１５】
アダプタは、１つ又は複数のプッシュエレメントと弾力性を有するブッシュとの間に配置された弾力性を有する更なるエレメントをさらに含んでいてもよい。弾力性を有する更なるエレメントは、雌型部分の軸方向において、径方向よりも低い弾性率、好ましくは低いヤング率を有する。その結果、更なる弾力性エレメントは、１つ又は複数のプッシュエレメントによって、軸方向に圧縮され得る。弾力性を有する更なるエレメントは、波ばね、マルチウェーブばね及び入れ子式波ばねの少なくとも１つを備えていてよい。
【００１６】
ブッシュの反発力の影響を受けてロックリングが第２位置から第１位置に移動することを防止するために、アダプタは、第２位置におけるロックリングの移動をロックするためのロックを備えていてよい。ロックは、追加的又は代替的に、第１位置におけるロックリングの動きをロックするように構成されていてもよい。
【００１７】
ロックは、凹部及び非凹部を有するロックピンを備えていてよい。ロックピンは、ロックリングの軸方向に取り付けられてもよい。例えば、ロックリングは、ロックリングの上面に取り付けられてもよい。ロックは、ロックピンをばね付勢し、ロックピンが軸方向に移動するように促すためのばねをさらに備えていてよい。好ましくは、ばね付勢は、ロックピンが上面から延びるように促すようなものであり、これにより、使用者がロックピンを操作することを可能にする。
【００１８】
雌型部分に対する雄型部分の角度位置の関数としてのロックピンの移動は、雌型部分の外壁上に配置されたロックトラックによって規定される。ロックトラックは、開放部分を有する径方向に突出した端部を備えていてよい。ここで、ロックトラックの開放部分とは、端部が存在しない部分、またはロックトラックの他の部分と同じ程度に端部が突出していない部分に関連する。第１位置と第２位置との間でロックリングを移動するとき、凹部がロックトラックに係合する。ロックリングが第２位置に到達するとき、ばねによってロックピンが軸方向に移動し、その結果、凹部がロックトラックに係合しなくなるとともに、非凹部はロックトラックに当接し、それによって第２位置から第１位置へのロックリングの回転が防がれる。ロックリングが第２の位置にあるとき、ロックピンがロックリングの上面から突出するように構成されていてもよい。この場合、ロックピンは、凹部をロックトラックと位置合わせされた状態に戻し、それによってロックリングを第２位置から第１位置に移動することを可能にするために、軸方向に押されることができる。
【００１９】
雌型部分の外壁は、径方向に突出したブロックエレメントを備えていてよい。ロックリングが第２位置から第１位置に移動するとき、ブロックエレメントと係合するロックピンによって、第１位置を越えた回転が防がれる。
【００２０】
ガイドトラックは、ガイドエレメントがガイドトラックの開放部分を通って軸方向に移動して雌型部分から離れることにより、ロックリングが雌型部分から離れることを可能にする開放部分を備えていてよい。しかしながら、径方向に突出するブロックエレメントは、ロックリングを第２位置から第１位置に移動させる際に、突出するブロックエレメントによってロックピンがブロックされているために、ガイドエレメントがガイドトラックの開放部分に到達する位置が到達され得ないように配置されていてもよい。
【００２１】
代替的に、ロックは、ロックリングの径方向に取り付けられた位置決めエレメントを備えていてよい。位置決めエレメントは、位置決めピンと、外側に移動させるために位置決めピンをばね付勢するばねとを備えていてよい。雌型部分は、第１位置及び第２位置にそれぞれ対応する第１凹部および第２凹部を有する端部を備えていてよい。位置決めピンは、突出端部を備えていてよい。ロックリングが第１位置又は第２位置にあるとき、位置決めピンは、外向きに移動して、第１凹部又は第２凹部とそれぞれ係合し、第１位置又は第２位置にロックリングをそれぞれロックする。さらに、ロックリングが第１位置と第２位置との間の中間位置にあるとき、突出端部が雌型部分の内壁と端部との間で案内される。
【００２２】
雌型部分は、周方向ロック溝を備えていてよい。ロックリングは、ロックリングを通して周方向溝内に突出するロックピンを備えていてよい。周方向溝及びロックピンは、ロックピンがロック溝に係合している間にロックリングが雌型部分から離脱することを防止するために、雌型部分に対するロックリングの相対的な回転を制限するように構成されている。
【００２３】
雌型部分のキャビティは、ロックリングに面する雌型部分の外面上に出ている第１部分と、第１部分に軸方向に隣接する第２の部分とを備えていてよい。第１部分が第２の部分よりも広く、第１部分の内壁から第２部分の内壁への移行部が、ブッシュを支持するための支持面を規定する。例えば、雌型部分の内壁は、第１部分と第２部分との間の界面の近くにあるか、又は第１部分と第２部分との間の界面を形成するエッジ又はリムを有していてよい。
【００２４】
ブッシュは、複数の第１及び第２リングを備えるリングアセンブリを備えていてよい。第１リングは、本質的に剛性を有する材料から作られ、第２リングは本質的に弾力性を有する材料から作られている。複数の第１リングは、１つ又は複数の実質的に同一のリングと、較正リングとを備えていてよい。いくつかの実施形態では、ロックリングの軸方向の変位は、較正リングの厚さに拘わらず実質的に同一であってよい。しかしながら、較正リングの厚さを増加させることにより、薄いリングと比較して、多くの力がブッシュに及ぼされる。このように、アダプタに加えることができる最大トルクは、例えば、使用者の身長及び／又は体重、及び／又は使用者の活動の種類に依存して設定され得る。
【００２５】
リングアセンブリはさらに、第２リングとは異なるショア硬度を有する本質的に弾力性を有する材料から作られた複数の第３リングをさらに備えていてよい。第２及び／又は第３リングのショア硬さを変化させることによって、及び／又はリングアセンブリ内のこれらのリングの相対的な数を変化させることによって、最大トルクを変化させることができる。これは、第２及び／又は第３リングに使用される異なる材料に関連した摩擦係数の違いに関連している。
【００２６】
雌型部分は、位置合わせピンを備えていてよい。さらに、雄型部分は、位置合わせキャビティ又は凹部を有してもよい。位置合わせピンは、雌型部分に対する雄型部分の所定の角度方向に対して、凹部又はキャビティに係合するように構成されている。位置合わせピンは、キャビティの第２部分に径方向内方に移動するようにばね付勢されることができ、位置合わせピンは、雌型部分に対する雄型部分の所定の角度方向に対して、凹部又はキャビティ内に移動するように構成されることができる。
【００２７】
位置合わせピンにより、使用者は、雌型部分内に雄型部分を配置する際に、雌型部分と雄型部分とを互いに相対的に便利に配置することができる。いくつかの実施形態では、使用者は、キャビティの位置合わせ凹部内に延びる位置合わせピンに関連するクリック音に気づくかもしれないし、及び／又は位置合わせピンの動きを感じるかもしれない。関連するロック力は、リングアセンブリに関連するロック力よりもかなり小さいが、位置合わせピン及び凹部は、雌型部分に対する雄型部分の相対的な回転運動の更なるロックを構成することに留意すべきである。
【００２８】
雄型部分は、人工装具ピンが配置され得るキャビティ、径方向内向きに延びるエッジ又はリム、及びボルトのような取付ユニットを備えていてよい。取付ユニットは、取付ユニットの外端が、人工装具ピンに対する雄型部分の第１方向への相対的な移動をロックするための延びるエッジ又はリムに係合するように、人工装具ピンの内側開口部に結合することができる。人工装具ピンは、第１方向とは反対の第２方向における雄型部分及び雌型部分のさらなる移動を防ぐように、雄型部分を人工装具ピンに形状フィットさせることができるように、雄型部分の内壁と一致する先細状の外形を有していてもよい。このような形状フィットロックと取付部によるロックとの組み合わせにより、雄型部分を人工装具ピンに結合することができる。
【００２９】
次に、本発明は、添付の図面を参照してより詳細に説明される。
【図面の簡単な説明】
【００３０】
【図１】本発明によるアダプタの一実施形態の分解図を示す。
【図２】図１の実施形態の雄型部分の断面図を示す。
【図３Ａ】図１のアダプタのロックリングの斜視図を示す。
【図３Ｂ】図１のアダプタのロックリングの斜視図を示す。
【図４】図１のアダプタの雌型部分の斜視図を示す。
【図５Ａ】雌型部分に結合された図１のアダプタのロックリングの上側斜視図を示す。
【図５Ｂ】雌型部分に結合された図１のアダプタのロックリングの上側斜視図を示す。
【図５Ｃ】雌型部分に結合された図１のアダプタのロックリングの上側斜視図を示す。
【図６Ａ】本発明によるアダプタのさらなる実施形態の部分的な分解図を示す。
【図６Ｂ】本発明によるアダプタのさらなる実施形態の部分的な分解図を示す。
【図７】図６Ａの実施形態の雄型部分の断面図を示す。
【図８Ａ】図６Ａのアダプタのロックリングの斜視図を示す。
【図８Ｂ】図６Ａのアダプタのロックリングの斜視図を示す。
【図９】図６Ａのアダプタの雌型部分の斜視図を示す。
【図１０Ａ】雌型部分に結合された図１のアダプタのロックリングの上側斜視図を示す。
【図１０Ｂ】雌型部分に結合された図１のアダプタのロックリングの上側斜視図を示す。
【図１０Ｃ】雌型部分に結合された図１のアダプタのロックリングの上側斜視図を示す。
【発明を実施するための形態】
【００３１】
図１は、本発明によるアダプタの実施形態の分解図を示している。図１はさらに、例えば使用者の太もも等の身体部分から突出する実質的に円筒形のピン１を示す。ピン１は先細状の端部を有しており、ピンの外径は端に向かって小さくなっている。ピン１は、位置合わせ凹部２をさらに備えている。
【００３２】
本発明のアダプタは、実質的に円筒形の雄型本体３、スリーブ４、リング５、及び取付ユニットからなる雄型部分を含む。図１では、取付ユニットは、ボルトヘッド７を有するボルト６として具体化されている。図２に見られるように、本体３の内壁の第１部分８は、第１キャビティ９を規定する。第１キャビティ９の壁は、ピン１の先細状の形状に適合する。内壁の第２部分１０は、第１キャビティ９よりも大きな径を有する第２キャビティ１１を規定する。部分８，１０間の移行部は、図２において見られるようにエッジ又はリム１２を規定する。
【００３３】
形状フィットされた状態でピン１が第１キャビティ９内に受けられるように、ピン１の上に本体３を配置することによって、雄型部分がピン１に結合され得る。より具体的には、本体３の内壁の第１部分８は、ピン１の先細状の外端に当接し、それにより、本体３がピン１上をさらにスライドすることを防ぐ。本体３をピン１に固定するために、少なくとも本体３がピン１から滑り落ちないようにするために、第２キャビティ１１を通してボルト６が配置されている。より具体的には、ピン１はその端部に内部キャビティを有しており、内部キャビティの壁にはねじ山が設けられている。ボルト６の外面には、対応するねじ切りが施されている。これにより、ボルト６をピン１にねじ込むことができ、これにより、ボルトヘッド７は、所定のタイミングにリム１２と係合し、それにより本体３を上方に押し上げる。
【００３４】
リング５は、弾力性のある材料であってもよく、シール機能を提供するために使用することができる。さらに、図２から分かるように、スリーブ４は、ボルトヘッド７と本体３の内壁の第２部分１０との間に配置されている。スリーブ４は、後述するように本体３と雌型部分との間の直接的な接触を防止するために、本体３を少しだけ越えて延在している。
【００３５】
ピン１に対する本体３の適切な位置合わせを容易にするために、凹部２と開口部１４とが位置合わせされているときに、開口部１４を通って凹部２内に位置合わせピン１３が入り込む。位置合わせピン１３は、ばね付勢されていてもよいし、されていなくてもよい。実際のプロステーシスに対する本体３の適切な位置合わせを容易にするために、本体３の外表面に１つ又は複数の位置合わせ凹部１５が設けられている。
【００３６】
エレメント１６は、ボルト６の開口部１７に配置された変形可能な物体である。ボルト６をピン１にねじ込む時、エレメント１６は変形し、それによってボルト６とピン１との間のクランプを実現し、ボルト６とピン１との不注意なデカップリングを防止又は制限する。
【００３７】
アダプタは、ロックリング１８をさらに備えている。ロックリング１８の上側にはロック用開口部１９が設けられている。ロックリング１８の側面には、エレメント２１が挿入される複数の開口部２０が設けられている。図１に示されている実施形態では、開口部２０は、側面の２つの高さレベルで設けられている。 
【００３８】
図１は、組み立てられた形態のエレメント２１を示している。これらのエレメントは、取付エレメント２１Ａ及びピンエレメント２１Ｂをそれぞれ備えている。取付エレメント２１Ａは、開口部２０に形状フィットされ得る。ピンエレメント２１Ｂの周囲には、ブッシング２１Ｃが設けられている。各エレメント２１は、ブッシング２１Ｃがピンエレメント２１Ｂに対して相対的に回転することを可能にするベアリングをさらに備えている。さらに、ピンエレメント２１Ｂは、例えばねじ式カップリング等を使用して、取付エレメント２１Ａに取り付けられ得る。
【００３９】
アダプタは、例えばゴム等の任意の適切なシール材料から作られたスライドベアリング２２をさらに備えている。スライドベアリング２２は、ロックリング１８の開口部２３に嵌め込まれることができ、ピン３とロックリング１８との間の直接的な接触を防止する。より具体的には、スライドベアリング２２は、ロックリング２３のリム又はエッジ上に置かれていてもよい。スライドベアリング２２に加えて、アダプタは、ロックリング１８内に挿入され、雌型部分２６とロックリング１８との間の直接的な接触を防止するスライドベアリング２４をさらに備えていてもよい。これは、図３Ａにさらに詳細に示されている。
【００４０】
図３Ａは、下側から見たロックリング１８を図示している。図３Ａでは、エレメント２１、スライドベアリング２２及びスライドベアリング２４がロックリング１８に取り付けられている。図１に図示されているように、スライドベアリング２４は、ロックリング１８の底側の近傍に配置されるロックリング１８の側面のそれらの開口部２０に対応する１つ又は複数の開口部２５を備えていてもよい。図１の実施形態では、下側の３つの開口部２０のみが開口部２５と位置合わせされている。開口部２５を開口部２０に位置合わせした後に、スライドベアリング２４をロックリング１８内に押し込むことにより、スライドベアリング２４がロックリング１８に対して相対的に固定されてもよい。その後、取付エレメント２１Ａは、ロックリング１８の外側からロックリング１８の側面の開口部２０内に配置される。次のステップとして、ブッシング２１Ｃを有するピンエレメント２１Ｂは、適用可能な場合には開口部２５を通して、また開口部２０を通して、ロックリング１８の内側から、開口部２０内に配置された取付エレメント２１Ａに取り付けられる。
【００４１】
以下、下側開口部２０及び開口部２５に挿通されたエレメント２１をガイドエレメントとし、残りのエレメント２１をプッシュエレメントとする。
【００４２】
アダプタは、雄型部分に構成された雌型部分２６をさらに備える。雌型部分２６の内部には、リングアセンブリ２７が配置されている。このアセンブリは、複数の第１リング２８及び第２リング２９を備える。第１リングは、ステンレス鋼のような実質的に弾力性がない材料から作られている。第２リングは、ゴムのような弾力性を有する材料から作られている。第１リング２８とは異なる寸法を有するとともに、較正リングと称される、別個の非弾力性端部リング３０が、リングアセンブリ２７の上面上に配置されてもよい。
【００４３】
リングアセンブリ２７は、雌型部分２６内に配置されると、図４に図示されているように、雌型部分２６の底壁４９上に置かれてもよい。さらに、底壁４９の近くにおいて、雌型部分２６には複数の貫通開口部４８が設けられていてもよい。これらの開口部４８において、ばね付勢された状態で、径方向内方に延びるように位置合わせピン４７が取り付けられてもよい。図４は、そのような位置合わせピン４７の一例を示す。
【００４４】
雌型部分２６の側面には、複数のガイドトラック３１が形成されている。各ガイドトラック３１は、雌型部分２６の上面から下方に延びる縦部分３２と、雌型部分２６の側面の周囲に螺旋状に部分的に延びる周方向部分３３とを備える（図４参照）。ガイドトラック３１は、雌型部分２６の側面を凹ませることにより形成されていてもよい。
【００４５】
スライドベアリング２２及びスライドベアリング２４がロックリング１８に取り付けられた状態で、ロックリング１８が雌型部分２６に結合され得る。そのために、ガイドエレメント２１のブッシング２１Ｃが、縦部分３２に位置合わせされる。その後、下側のエレメント２１の各ブッシング２１Ｃがそれぞれの縦部分３２に係合し、それによってガイドされるようになるように、ロックリング１８が下方に移動される。縦部分３２の最下点に達すると、下側のエレメント２１の各ブッシング２１Ｃがそれぞれの周方向部分３１と係合し、それによってガイドされるようになるように、ロックリング１８が回転される。ロックリング１８が回転すると、螺旋状のガイドトラック３１は、ロックリング１８の軸方向の変位を誘発する。これにより、多かれ少なかれプッシュエレメント２１がリングアセンブリ２７に力を及ぼすことになる。
【００４６】
ロックリング１８が雌型部分２６から不用意に外れてしまうことを防止するために、ロックリング１８の開口部１９を通してロックピンを配置することができる。ロックピンは、凹部３４、非凹部３５、及びリム３６を備える。ロックピンは、ばね３７及び取付エレメント３８を使用して、ばね付勢された状態でロックリング１８に取り付けられ得る。より具体的には、ロックピンをロックリング１８に取り付けるために、ばね３７は、リム３６の下のロックピンに取り付けられる。ロックリング１８及びばね３７が開口部１９内に配置されているとき、ばね３７は、ロックピンとは異なり、開口部１９に対向して配置された図３Ａに示されている開口部１９’に入ることができないので、ロックリング１８の内面に対して静止する。ばね３７はリム３６に押し付けられる。ロックピンの実際の付勢は、開口部１９内に取付エレメント３８を配置することによって生じる。リム３６が取付エレメント３８を通過できないので、ロックピンはロックリング１８に取り付けられたままである。
【００４７】
雌型部分２６の外表面は、周方向部分３１に実質的に平行に螺旋状に延びるロックトラック３９を備える。ロックトラック３９及びロックピンとの相互作用は、図５Ａ〜図５Ｃにさらに詳細に示されている。図５Ａ〜図５Ｃでは、ロックピン及び雌型部分２６のみが示されている。ここで、ロックピンがロックリング１８に取り付けられると、ロックピンの凹部３４がロックトラック３９と係合することが示されている。このように、ロックリング１８を回転させると、ロックピンの位置はロックトラック３９によって決定される。
【００４８】
ロックトラック３９はガイドトラック３１と実質的に平行に延びているので、ロックリング１８の回転は、ロックリング１８内のロックピンの相対位置に実質的に影響を与えない。しかしながら、ロックトラック３９の端部には、開放部分４０が設けられている。ロックピンが開放部分４０に入るようにロックリング１８が回転されると、ロックピンは、ばね３７によって及ぼされるばね力の影響を受けて上方に移動する。その後、非凹部３５は、ロックトラック３９と隣接し、それによって少なくとも一方向へのロックリング１８の回転が阻止される。この状態は図５Ａに示されており、開放部分４０に到達する直前のロックピンの位置が図５Ｂに図示されている。
【００４９】
一般に、ロックピンが開放部分４０に入る位置は、ロックリング１８の第２位置に対応している。第２位置は、ガイドエレメント２１がそれらに対応するガイドトラック３１の端部に達した位置に対応している。ロックピンの上昇運動がなければ、ロックリング１８は、リングアセンブリ２７の圧縮に関連するばね力のために、逆方向に回転する。
【００５０】
プッシュエレメント２１がリングアセンブリ２７に実質的な圧縮力を及ぼさない位置までロックリング１８を回転させることができるようにするためには、使用者は、図５Ｂに示すように、凹部３４をロックトラック３９との位置合わせまで、ばねの力に抗してロックピンの上端部を押し付けなければならない。その後、使用者は、まだロックピンを押している間に、ロックリング１８を回転させてもよい。凹部３４が再びロックトラック３９と係合すると、使用者はロックピンを押すのを止めることができる。
【００５１】
ロックリング１８の更なる回転は、最終的には、径方向に突出したブロックエレメント４１によって止められる。ブロックエレメント４１は、ロックリング１８がさらに回転することができないような方法で、ある時点で凹部３４と係合する。ロックリング１８のこの位置は、第１位置に対応する。
【００５２】
上述の議論から理解されるかもしれないが、ロックピンは、ロックリング１８が第２位置にある場合にのみ、ロックリング１８に取り付けることができる。この位置にのみ、ロックピンは、ロックトラック３９によってブロックされることなく、開口部１９，１９’を通って配置されてもよい。
【００５３】
雌型部分２６は、アダプタプレート４２に結合されてもよい。このため、アダプタプレート４２には、ねじ切り壁を有する内側開口部４３を備えている。両方の構成要素が結合可能なように、同様のねじ切り壁が雌型部分２６の側部表面の下部に設けられていてもよい。開口部４３は、アダプタプレート４３の一方の端部で間隔を開けて設けられた２つの半円形リング部分４４Ａ，４４Ｂを用いて形成されてもよい。ここで、各リング部分には、開口部４５が設けられていてもよい。開口部４５を通して適切なクランプを配置することにより、例えばボルト４６を使用して、リング部分４４Ａ，４４Ｂをクランプすることができ、それにより、雌型部品２６とアダプタプレート４２との間のさらなる結合機構を可能にすることができる。一実施形態では、雌型部分２６は、最初に開口部４３内に挿入され、開口部４３に対して雌型部分２６を相対的に回転させることによって開口部４３に結合される。雌型部分２６とアダプタプレート４２とが適切に位置合わせされた後、リング部分４４Ａ，４４Ｂが一緒にクランプされ、それによって雌型部分２６とアダプタプレート４２との相互位置が完全に固定される。ねじ切りされた開口部のような適切な結合構造を使用してアダプタプレート４２が実際のプロステーシス（図示せず）に取り付けられるので、このような位置合わせは重要である。
【００５４】
組立状態にあるとき、ロックリング１８、スライドベアリング２４、スライドベアリング２２、雌型部分２６、リングアセンブリ２７、及びアダプタプレート４２は、上述したように結合される。さらに、アダプタプレート４２は、プロステーシスに結合されてもよい。アダプタを使用して人工装具ピン１にプロステーシスを結合するために、使用者は、スリーブ４が雌型部分２６の底壁４９に接触するまで、ロックリング１８の開口部２３を介してリングアセンブリ２７を通して、雌型部分２６内に本体３を有するピン１を配置する。この時点で、ロックリング１８は第１の位置にある。その後、使用者はロックリング１８を第２位置に回転させる。図１から分かるように、周方向部分３３は、周方向及び下方向に延びている。従って、ロックリング１８が回転されると、ガイドエレメント２１のブッシング２１Ｃが円周方向部分３３内で案内される一方で、プッシュエレメント２１のブッシング２１Ｃはリングアセンブリ２７上で下方に押し下げられる。この圧縮力のために、弾力性を有するリング２９は径方向に変形し、それによって、雌型部分２６に対する雄型部分の本体３の径方向のロックを提供する。周方向部分３３の端部において、ガイドトラック３１は、わずかな上方への動きを見せてもよい。周方向部分３３の下向きに延びる部分と上向きに延びる部分とが出会う接続点をブッシング２１Ｃが通過するように使用者がロックリング１８を回転させると、使用者は、リング２９の弾力性によりロックリング１８が逆回転するリスクなしに、ロックリング１８を解放することができる。それどころか、ブッシング２１Ｃは、そのような上方に延在する部分の端部に対して押し付けられることになる。上向きに延びる部分は、ロックピンの代わりにか、又はロックピンに加えて使用されてもよいことに留意すべきである。
【００５５】
雄型部分の本体３を雌型部分２６に対して相対的に位置合わせするために、位置合わせピン４７が使用されてもよい。位置合わせピン４７は、開口部４８を通して挿入され、本体３の位置合わせ凹部１５と係合する。位置合わせピン４７は、ピン４７が雌型部分２６に結合され得る第１部分と、位置合わせ凹部１５と係合する係合部分４７Ａを備えていてもよい。第２部分は、弾力性を有する部材と係合部材とを備えていてよく、弾力性を有する部材は、係合部材が第１部分から離れるように促す付勢力を提供する。雄型部分３を雌型部分２６内に配置する時、後者は、位置合わせピン４７の係合部材が位置合わせ凹部１５に係合するまで、雌型部分２６に対して相対的に回転させてもよい。
【００５６】
使用者は、使用中、例えば使用者の転倒の結果として、プロステーシスに加えられる過度のトルクを経験する可能性がある。プロステーシスに加えられるトルクが、弾力性を有するリング２９の径方向の膨張に関連する摩擦力に打ち勝つのに十分に高い場合、雄型部分は、雌型部分２６に対して相対的に回転してもよい。これは、リングアセンブリ２７が雌型部分２６に対して相対的に回転することを含んでもよいし、含んでいなくてもよい。
【００５７】
雄型部分と雌型部分２６との間のロックを緩めることなくプロステーシスに適用できるトルクの量は、リングアセンブリ２７を適切に選択することによって設定することができる。例えば、非弾力性のリング２８と比較して弾力性を有するリング２９の寄与を大きくすることにより、最大許容トルクを大きくすることができる。このようにして、とりわけ使用者の体重、及び／又は使用者の日常活動の性質に応じて、雄型部分と雌型部分２６との間の結合を調整することが可能である。代替的に、特定のリング、すなわち校正リング３０のみを、より高いトルク閾値が要求されるか低いトルク閾値が要求されるかに応じて、それぞれより厚いリング又はより薄いリングに交換してもよい。
【００５８】
雄型部分が雌型部分２６に対して相対的に回転した場合、使用者は、ロックピンを押して、第２位置から第１位置にロックリング１８を回転させてもよい。この後者の位置では、使用者は、雄型部分と雌型部分２６とを比較的容易に位置合わせされた状態に戻すことができる。その後、使用者は、ロックリング１８を回転させて第２位置に戻してもよく、それによって、雄型部分と雌型部分２６とをロックすることができる。 
【００５９】
図６Ａ及び図６Ｂはそれぞれ、本発明によるアダプタの更なる実施形態の部分的な分解図である。このアダプタは、図１及び図６Ａに図示されているように、ピン１に結合されるように構成されている。
【００６０】
本発明のアダプタのこの実施形態は、実質的に円筒形の雄型本体１０３、非金属スリーブ１０４、リング１０５Ａ、リング１０５Ｂ、及び取付ユニットからなる雄型部分を備えている。図６Ａでは、取付ユニットは、ボルトヘッド１０７を有するボルト１０６として具現化されている。図７に見られるように、本体１０３の内壁の第１部分１０８は、第１キャビティ１０９を規定する。第１キャビティ１０９の壁は、ピン１の先細状の形状に適合する。内壁の第２部分１１０は、第１キャビティ１０９よりも大きな径を有する第２キャビティ１１１を規定する。部分１０８，１１０間の移行部は、図７においてみられるようにエッジ又はリム１１２を規定する。
【００６１】
形状フィットされた状態でピン１が第１キャビティ１０９内に受けられるように、ピン１の上に本体１０３を配置することによって、雄型部分がピン１に結合され得る。より具体的には、本体１０３の内壁の第１部分１０８は、ピン１の先細状の外端に当接し、それにより、本体１０３がピン１上をさらにスライドすることを防ぐ。本体１０３をピン１に固定するために、少なくとも本体１０３がピン１から滑り落ちないようにするために、第２キャビティ１１１を通してボルト１０６が配置されている。より具体的には、ピン１はその端部に内部キャビティを有しており、内部キャビティの壁にはねじ山が設けられている。ボルト１０６の外面には、対応するねじ切りが施されている。これにより、ボルト１０６をピン１にねじ込むことができ、これにより、ボルトヘッド１０７は、所定のタイミングにリム１１２と係合し、それにより本体１０３を上方に押し上げる。
【００６２】
図７は、本体１０３の凹部１６０の周りにスリーブ１０４が配置されていることをさらに示している。さらに、本体１０３の底部リムは、後述するように位置合わせ目的で使用される凹部１６１を備える。スリーブ１０４の下部リムは、次に論じられるように、本体１０３の底部リムと雌型部分１２６との間の金属同士の接触を避けるために、本体１０３の下部リムを越えて延在している。
【００６３】
リング１０５Ａは、弾力性のある材料であってもよく、ピン１と本体１０３との間に水分や汚れが侵入することを避けるために雄型部分のシールを提供する。一方、リング１０５Ｂは、同じく弾力性のある材料であってもよく、雌型部分１２６に水分や汚れが侵入することを避けるためにシールを提供する。
【００６４】
ピン１に対する本体１０３の適切な位置合わせを容易にするために、凹部２と開口部１１４とが位置合わせされているときに、開口部１１４を通って凹部２内に位置合わせピン１１３が入り込む。位置合わせピン１１３は、ばね付勢されていてもよいし、されていなくてもよい。
【００６５】
アダプタは、図６Ａの右側に示され、図８Ａ及び図８Ｂにおいて斜視図に示されたロックリング１１８をさらに備える。ロックリング１１８の側面には、異なる縦位置に配置された複数の開口部１２０Ａ，１２０Ｂが設けられている。エレメント１２１Ａは上部開口１２０Ａを通して挿入され、エレメント１２１Ｂは下部開口１２０Ｂを通して挿入されている。ロックリング１１８の側壁には、別個の開口部１６２が設けられている。開口部１６２を通してロックピン１６３を固定的に取り付けることができる。
【００６６】
図６Ａは、アダプタがスライドベアリング１２４を備えることをさらに示している。スライドベアリング１２４は、ロックリング１１８内に挿入されるとともに、後述する雌型部分１２６とロックリング１１８との間の直接的な接触を防止する。これは、図８Ａにさらに詳細に示されている。
【００６７】
スライドベアリング１２４は、ロックピン１６３が挿入される開口部１６４と、エレメント１２１Ｂが挿入される開口部１２５Ｂと、エレメント１２１Ａの挿入を許容する凹部１２５Ａとを備える。
【００６８】
図６Ａは、エレメント１２１Ａ，１２１Ｂを分解して示している。図１０は、組み立てられた形態のエレメント１２１Ａを示しており、図６Ａはまた、組み立てられた形態のエレメント１２１Ｂを示している。エレメント１２１Ａは、ロックリング１１８の内壁と外壁との間のキャビティに配置されたピン１２１Ａ＿２を備える。ピン１２１Ａ＿２は、ばね１２１Ａ＿１を用いてばね付勢されている。ピン１２１Ａ＿２を取り付けるため、ばね１２１Ａ＿１を開口部１２１Ａ＿５に挿入して開口部１２０Ａと位置合わせする。その後、開口部１２０Ａ、ばね１２１Ａ＿１、及び図８Ａに示すような開口部１２５Ａを通して、ピン１２１Ａ＿２が挿入される。その後、ピン１２１Ａ＿２を固定的に係合させるために、開口部１２１Ａ＿５を通して保持エレメント１２１Ａ＿３が挿入される。その結果、ばね１２１Ａ＿１は、開口部１２０Ａを通過できないので、ロックリング１０８の内壁に対して一方の側に静止するとともに、保持エレメント１２１Ａ＿３に対して他方の側に静止する。保持エレメント１２１Ａ＿３は、ピン１２１Ａ＿２がロックリング１１８から外れないようにする。さらに、ばね１２１Ａ＿１は、ピン１２１Ａ＿２が外側に移動するように促す。ピン１２１Ａ＿２を取り付けた後、汚れや湿気から保護するためのシールブロック１２１Ａ＿４を用いて開口部１２１Ａ＿５が閉じられる。
【００６９】
エレメント１２１Ｂは、ピン１２１Ｂ＿１と、好ましくはセラミック材料から作られたブッシュ１２１Ｂ＿２と、楕円形の閉鎖キャップ１２１Ｂ＿３とを備える。閉鎖キャップ１２１Ｂ＿３は、閉鎖キャップ１２１Ｂ＿３が開口部１２０ｂに対して相対的に回転しないよう形状フィットにより楕円形の開口部１２０Ｂ内に受け入れられる。
【００７０】
ピン１２１Ｂ＿１は、内側から開口部１２５Ｂ，１２０Ｂを通して配置され、固定的に連結されている閉鎖キャップ１２１Ｂ＿３を用いて、形状フィットによりロックリング１１８に対して相対的に回転ロックされている。ブッシュ１２１Ｂ＿２は、ピン１２１Ｂ＿１の周りで回転可能であることに留意すべきである。
【００７１】
以下、上部開口部１２０Ａ及び開口部１２５Ａに挿通されたエレメント１２１Ａを位置決めエレメントとし、エレメント１２１Ｂをガイドエレメントとする。
【００７２】
アダプタは、雄型部分に構成された雌型部分１２６をさらに備える。雌型部分１２６は、図９及び図１０Ａ〜図１０Ｃに詳細に示されている。ここで、例示の目的で、ロックリング１１８は図１０Ａ〜図１０Ｃでは見えないことに留意されたい。
【００７３】
雌型部品１２６の内部には、リングアセンブリ１２７が配置されている。このアセンブリは、リング１２７＿１，１２７＿２，１２７＿３の交互スタックを備える。リング１２７＿１は、ステンレス鋼又は適切なポリマーのような実質的に弾力性が無い材料から作られている。リング１２７＿２，１２７＿３は、ゴムのような弾力性を有する材料から作られている。特に、これらのリングのショアＡ硬度は異なっていてもよい。例えば、リング１２７＿２は約３０〜５０のショアＡ硬度を有していてよく、リング１２７＿３は７０〜９０のショアＡ硬度を有していてよい。
【００７４】
リングアセンブリ１２７の上には、弾力性を有するエレメント１３０が配置されている。このエレメントは、雌型部分１２６の軸方向に比較的高い弾性率を有する。エレメント１３０は、例えばマルチウェーブばね又は入れ子式波ばね等の波ばねの形態をとることができる。
【００７５】
リングアセンブリ１２７は、雌型部分１２６に配置されると、図９に図示されているように、雌型部分１２６の底壁１４９上に置かれてもよい。さらに、底壁１４９において、雌型部分１２６には複数の貫通開口１４８が設けられていてもよい。そのうちのいくつかは、図９においては、例示の目的のためだけに開放されたままにされている。これらの開口部１４８のいくつかには、調整ねじ１５０が設けられてもよい。
【００７６】
他の開口部１４８には、上面に回転可能に取り付けられたボール状エレメント１５１を備える位置合わせピン１４７が設けられている。本体１０３が雌型部分１２６内に配置されるとき、エレメント１５１は、雌型部分１２６に対する本体１０３の所定の整列位置を提供するために使用され得る。これらの位置において、エレメント１５１は、凹部１６１と係合する。位置合わせピン１４７は、ピン１４７が雌型部分１２６に結合され得る第１部分を備えていてもよい。
【００７７】
雌型部分１２６の側面には、複数のガイドトラック１３１が形成されている。各トラック１３１は、雌型部分１２６の上面から下方に延びる縦部分１３２と、雌型部分１２６の側面の周囲に螺旋状に部分的に延びる周方向部分１３３とを備える（図１０Ａ〜図１０Ｃ参照）。ガイドトラック１３１は、雌型部分１２６の側面を凹ませることにより形成されていてもよい。
【００７８】
スライドベアリング１２４がロックリング１１８に取り付けられた状態で、ロックリング１１８が雌型部分１２６に結合され得る。そのために、ガイドエレメント１２１Ｂが、縦部分１３２に位置合わせされる。その後、閉鎖キャップ１２１Ｂ＿３及びブッシュ１２１Ｂ＿２がそれぞれの縦部分１３２と係合し、それによってガイドされるようになるように、ロックリング１１８が下方に移動される。縦部分１３２の最下点に達すると、各閉鎖キャップ１２１Ｂ＿３及びブッシュ１２１Ｂ＿２がそれぞれの周方向部分１３１に係合し、それによってガイドされるようになるように、ロックリング１１８が回転される。
【００７９】
ロックリング１１８の取付時には、位置決めエレメント１２１Ａが内側に押し込まれる。ピン１２１Ａ＿２は、半月形の形状を有する下向きの突出端部１７０を備える。突出端部１７０は、内側に押されると、雌型部分１２６の内壁１７３に向かって押される。これにより、ピン１２１Ａ＿２は、縦スロット１７２から端部１７１を越えて移動することができる。位置決めエレメント１２１Ａ及びガイドエレメント１２１Ｂの位置決めは、位置決めエレメント１２１Ａが縦スロット１７２に位置合わせされているときに、ガイドエレメント１２１Ｂが縦部分１３２に位置合わせされるようなものである。
【００８０】
ロックリング１１８が下方に移動し、ピン１２１Ｂ＿１及びブッシュ１２１Ｂ＿２がそれぞれの周方向部分１３１に係合するように回転した後、突出端部１７０が内壁１７３と端部１７１との間で案内される。
【００８１】
その後、ロックピン１６３は、ロックスロット１６５と係合するように取り付けられる。ロックピン１６３は、それによって、雌型部分１２６に対するロックリング１１８の回転運動を制限する。
【００８２】
図１０Ａ〜図１０Ｃから分かるように、ロックリング１１８は、２つの状態の間で回転可能である。図１０Ａに示された、いわゆる開放状態では、ガイドエレメント１２１Ｂは、螺旋状のガイドトラック１３１の上部に配置されている。この位置では、位置決めエレメント１２１Ａの突出端部１７０は、端部１７１の凹部１７４と整列するようになる。その結果、ばね付勢力の影響の下、突出端部１７０が凹部１７４と係合するようにピン１２１Ａ＿２が外側に移動する。これにより、雌型部分１２６に対するロックリング１１８のロックが提供される。
【００８３】
同様の状況は、図１０Ｃに示された、閉じた状態と呼ばれる他の状態でも発生する。この位置では、ガイドエレメント１２１Ｂは、螺旋ガイドトラック１３１の下部に配置される。
【００８４】
本体１０３を雌型部分１２６に取り付けるために、使用者はロックリング１１８を開状態まで回転させる。その後、本体１０３は、ロックリング１１８の開口部１２３を通って雌型部分１２６内に挿入される。その次に、使用者は、本体１０３に対して雌型部分１２６を相対的に回転させて、凹部１６１をボール状エレメント１５１と係合可能とすることができる。これにより、雌型部分１２６に対する本体１０３の相対的な向きが、複数の所定位置のうちの１つになるようにすることができる。
【００８５】
本体１０３を雌型部分１２６に対して相対的に位置合わせした後、使用者は位置決めエレメント１２１Ａを操作して、突出端部１７０が凹部１７４から離れるように移動し、図１０Ｃの閉鎖位置に向かってロックリング１１８が回転できるようにしてもよい。この動作の間、エレメント１２１Ｂは、ガイドトラック１３１の下方に移動する。同時に、図８Ａに示すロックリング１１８の内壁１７５は、弾力性を有するエレメント１３０の上面と係合する。より具体的には、開状態から閉状態への移動時に、弾力性を有するエレメント１３０に及ぼされる力が連続的に増加する。
【００８６】
圧縮力により、リングアセンブリ１２７は径方向内方に変形する。その結果、本体１０３は、リング１２７＿２及び１２７＿３によって係合され、それによって径方向及び軸方向の両方で雌型部分１２６に対して本体１０３を相対的にロックする。ロックの量は、リング１２７＿２及び１２７＿３の組成、例えばそれらの硬度、及び／又は弾力性を有するエレメント１３０の特性によって決定され得る。このようにして、本体１０３に対するクランプ力、及び本体１０３とリングアセンブリ１２７との間の界面における滑り力又は摩擦は、例えば、使用者の体重、使用者の定期的な活動、及び／又は使用者の骨の質に適合させることができる。
【００８７】
本体１０３に対して雌型部分１２６に大きなトルクが相対的に及ぼされるとき、例えば使用者が事故に遭ったとき、リング１２７＿２及び１２７＿３によって本体１０３に及ぼされる摩擦力は、本体１０３が雌型部分１２６に対して相対的に回転することを可能にするように打ち負けてもよい。同時に、ばね付勢により位置合わせピン１４７に配置されているボール状エレメント１５１から、凹部１６１が外れる。より具体的には、本体１０３が雌型部分１２６に対して相対的に回転するとき、ボール状エレメント１５１は、位置合わせピン１４７に対して内向きに相対的に移動する。
【００８８】
本体１０３が雌型部分１２６に対して回転することができるという事実は、雌型部分１２６、本体１０３、又はピン１への不注意による損傷を防ぐ。したがって、使用者は、専門の技術者に会う必要なしに、またピン１又は使用者の身体へのピン１の取り付けが損傷した場合に必要となる手術のリスクなしに、本体１０３を雌型部分１２６に再調整することができる。
【００８９】
図６Ｂは、雌型部分１２６に結合されるアダプタプレート１４２の３つの異なる実施形態を示す。各アダプタプレート１４２は、その内側面にねじ切りが設けられた開口部１４３を備える。対応するねじ切りが、雌型部分１２６の下面１２６Ｂ上に配置されている。さらに、スライドベアリング１２４の内面のロックリング１１８と雌型部分１２６との間の結合のための底面シールを提供するために、下面１２６Ｂの上の溝に配置されたシールリング１４６が設けられている。
【００９０】
各アダプタプレートは、上面１８６が設けられたプロステーシス取付エレメント１８０に結合される。取付エレメント１８０は、相補的なねじ山を使用してアダプタプレート１４２に結合され得る。さらに、取付エレメント１８０には、プロステーシスを取り付けることができる底面に穴が設けられている。アダプタプレート１４２のすべての実施形態では、プロステーシスは、貫通孔１８２内に配置されたねじ１８１を使用して、取付エレメント１８０に対して相対的に固定され得る。
【００９１】
図６Ｂの左側及び中央に示されたアダプタプレート１４２には、部分的に閉じられた底部が設けられている。この底部には、調整ねじ１８３が配置され得る貫通孔（図示せず）が設けられている。上述のねじ山を用いてアダプタプレート１４２を雌型部分１２６に取り付けるとき、雌型部分１２６の底壁と係合する調整ねじ１８３によって、雌型部分１２６に対するアダプタプレート１４２の最終的な角度位置を調整することができる。これらの同じアダプタプレート１４２に関して、さらなる調整ねじ１８３が取り付けられる貫通孔１８７が設けられている。
【００９２】
取付エレメント１８０がアダプタプレート１４２に取り付けられるとき、アダプタプレート１４２に対する取付エレメント１８０の角度エンド位置は、調整ねじ１８４を使用して制御することができる。より具体的には、アダプタプレート１４２に対するプロステーシスの相対的な角度位置は、調整ねじ１８４を使用して制御することができる。調整ねじ１８４は、開口部１８５を通して挿入され、それによってネジ１８４と取付エレメント１８０の上面１８６との間の接触のモーメント、したがって相互の角度位置を決定することができる。
【００９３】
図６Ｂの右側に示すアダプタプレート１４２は、貫通開口１４３を有する。ここで、取付エレメント１８０の相互位置は、上面１８６に直接係合する調整ねじ１５０を使用して制御することができる（図６Ａ及び図９参照）。以上説明したように、本発明によれば、雄型部分と雌型部分との間に印加される過度のトルクが人工装具ピン及び周囲の骨構造を損傷することを防止する非破壊保護機構を提供しながら、人工装具ピンへのプロステーシスの確実な取り付けを可能にすることができる。
【００９４】
本発明は、その詳細な実施形態を用いて説明されてきた。当業者は、これらの実施形態に対する様々な変更が、添付の図面によって定義される本発明の範囲から逸脱することなく可能であることを理解するであろう。
【符号の説明】
【００９５】
１  人工装具ピン
２  位置合わせ凹部
３  雄型部分の本体
４  雄型部分のスリーブ
５  雄型部分のリング
６  ボルト
７  ボルトヘッド
８  第１部分
９  第１キャビティ
１０  第２部分
１１  第２キャビティ
１２  エッジ又はリム
１３  位置合わせピン
１４  雄型部分の開口部本体
１５  位置合わせ凹部
１６  変形可能な物体
１７  ボルトの開口部
１８  ロックリング
１９  ロックリングの開口部
１９’  ロックリングの開口部
２０  ロックリングの開口部側面
２１  エレメント
２１Ａ  取付エレメント
２１Ｂ  ピンエレメント
２１Ｃ  ブッシング
２２  スライドベアリング
２３  ロックリングの開口部
２４  スライドベアリング
２５  スライドベアリングの開口部
２６  雌型部分
２７  リングアセンブリ
２８  第１リング
２９  第２リング
３０  較正リング
３１  ガイドトラック
３２  ガイドトラックの縦部分
３３  ガイドトラックの周方向部分
３４  ロックピンの凹部
３５  ロックピンの非凹部
３６  リムロックピン
３７  ばね
３８  取付エレメント
３９  ロックトラック
４０  ロックトラックの開放部分
４１  突出したブロックエレメント
４２  アダプタプレート
４３  開口部
４４Ａ  リング部分
４４Ｂ  リング部分
４５  開口部
４６  ボルト
４７  位置合わせピン
４７Ａ  位置合わせピンの係合部分
４８  開口部
４９  雌型部分の底壁
１０３  雄型部分の本体
１０４  スリーブ
１０５Ａ  シールリング
１０５Ｂ  シールリング
１０６  ボルト
１０７  ボルトヘッド
１０８  第１部分
１０９  第１キャビティ
１１０  第２部分
１１１  第２キャビティ
１１２  エッジ又はリム
１１３  位置合わせピン
１１４  雄型部分の開口部本体
１１８  ロックリング
１２０Ａ  ロックリングの上部開口
１２０Ｂ  ロックリングの下部開口
１２１Ａ  位置決めエレメント
１２１Ａ＿１  スプリング
１２１Ａ＿２  ピン
１２１Ａ＿３  保持エレメント
１２１Ａ＿４  シールブロック
１２１Ａ＿５  保持エレメント
１２１Ｂ  ガイドエレメント
１２１Ｂ＿１  ピン
１２１Ｂ＿２  ブッシュ
１２１Ｂ＿３  閉鎖キャップ
１２３  ロックリングの開口部
１２６  雌型部分
１２７  リングアセンブリ
１２７＿１  リングタイプ１
１２７＿２  リングタイプ２
１２７＿３  リングタイプ３
１３０  入れ子式波ばね
１３１  ガイドトラック
１３２  ガイドトラックの縦部分
１３３  ガイドトラックの周方向部分
１４２  アダプタプレート
１４３  アダプタプレートの開口部
１４６  シールリング
１４７  位置合わせピン
１４８  雌型部分の開口部底壁
１４９  雌型部分の底壁
１５０  調整ねじ
１５１  位置合わせピンのボール
１６０  凹部
１６１  位置合わせ凹部
１６３  ロックピン
１６４  ロックベアリングの開口部
１６５  ロックスロット
１７０  突出端部
１７１  端部
１７２  縦スロット
１７３  雌型部分の内壁
１７４  凹部
１７５  ロックリングの内壁
１８０  取付エレメント
１８１  ねじ
１８２  開口部
１８３  調整ねじ
１８４  調整ねじ
１８５  孔
１８６  取付エレメントの上面
１８７  孔
【図１】
2021514728.tif 000003
【図２】
2021514728.tif 000004
【図３Ａ】
2021514728.tif 000005
【図３Ｂ】
2021514728.tif 000006
【図４】
2021514728.tif 000007
【図５Ａ】
2021514728.tif 000008
【図５Ｂ】
2021514728.tif 000009
【図５Ｃ】
2021514728.tif 000010
【図６Ａ】
2021514728.tif 000011
【図６Ｂ】
2021514728.tif 000012
【図７】
2021514728.tif 000013
【図８Ａ】
2021514728.tif 000014
【図８Ｂ】
2021514728.tif 000015
【図９】
2021514728.tif 000016
【図１０Ａ】
2021514728.tif 000017
【図１０Ｂ】
2021514728.tif 000018
【図１０Ｃ】
2021514728.tif 000019
【国際調査報告】
2021514728.tif 000020
2021514728.tif 000021